(57)【要約】【課題】信頼性を簡便に向上できる温度調整機能付きの液晶表示装置を提供すること。【解決手段】本発明かかる液晶表示装置は、対向基板１０上に形成されたヒーター電極１５と、ヒーター電極１５上に絶縁層を介して形成され、ＴＦＴアレイ基板４０の画素電極に対向配置される対向電極１６と、ヒーター電極１５の形成領域上の絶縁層が除去されている第１除去部２０ａと、ヒーター電極１５の形成領域外の絶縁層が除去されている第２除去部２０ｂと、ＴＦＴアレイ基板４０と、第１除去部２０ａ内のヒーター電極１５とに接続するよう、第１除去部２０ａに形成されたヒーター電極用導電層３５と、ＴＦＴアレイ基板４０と、絶縁層上から第２除去部２０ｂ内に延在されている対向電極１６とに接続するよう、第２除去部２０ｂにヒーター電極用導電層３５と同じ導電材料によって形成された対向電極用導電層３６と、を備えるものである。【選択図】図２
2010276972.tif 000002
【特許請求の範囲】
【請求項１】
画素電極を有するアレイ基板と、
前記アレイ基板に対向配置された対向基板と、
前記対向基板上に形成されたヒーター電極と、
前記ヒーター電極上に絶縁層を介して形成され、前記画素電極に対向配置される対向電極と、
前記ヒーター電極の形成領域上の前記絶縁層が除去されている第１除去部と、
前記ヒーター電極の形成領域外の前記絶縁層が除去されている第２除去部と、
前記アレイ基板と、前記第１除去部内の前記ヒーター電極とに接続するよう、前記第１除去部に形成されたヒーター電極用導電層と、
前記アレイ基板と、前記絶縁層上から前記第２除去部内に延在されている前記対向電極とに接続するよう、前記第２除去部に前記ヒーター電極用導電層と同じ導電材料によって形成された対向電極用導電層と、を備える液晶表示装置。
【請求項２】
前記対向電極のパターン端部が前記第１除去部の外側に配置され、
前記ヒーター電極のパターン端部が前記第２除去部の外側に配置されている請求項１に記載の液晶表示装置。
【請求項３】
画素電極を有するアレイ基板と、
前記アレイ基板に対向配置された対向基板と、
前記対向基板上に形成されたヒーター電極と、
前記ヒーター電極上に絶縁層を介して形成され、前記画素電極に対向配置される対向電極と、
前記ヒーター電極の形成領域上の前記絶縁層が除去されている開口部と、
前記絶縁層上に前記対向電極と離間して設けられ、前記開口部内の前記ヒーター電極と接続するよう形成されている変換導電層と、
前記アレイ基板と、前記絶縁層上の前記変換導電層とに接続するよう形成されたヒーター電極用導電層と、
前記アレイ基板と、前記絶縁層上の前記対向電極とに接続するよう、前記ヒーター電極用導電層と同じ導電材料によって形成された対向電極用導電層と、を備える液晶表示装置。
【請求項４】
前記変換導電層は、前記対向電極と同じ導電膜によって形成されている請求項３に記載の液晶表示装置。
【請求項５】
前記ヒーター電極用導電層と、前記対向電極用導電層とは、同じ径の導電性粒子が混入された樹脂を含む導電材料によって形成されている請求項１乃至４のいずれか１項に記載の液晶表示装置。
【請求項６】
前記絶縁層は、着色層を含む請求項１乃至５のいずれか１項に記載の液晶表示装置。
【請求項７】
前記絶縁層は、前記着色層上に形成されたオーバーコート膜をさらに含む請求項６に記載の液晶表示装置。
【請求項８】
前記ヒーター電極は、樹脂ＢＭ上に形成されている請求項６又は７に記載の液晶表示装置。
【請求項９】
前記ヒーター電極は、メタル膜からなるメタルＢＭ上に絶縁膜を介して形成されている請求項６又は７に記載の液晶表示装置。
【請求項１０】
前記ヒーター電極は、メタル膜からなるメタルＢＭの上または下に直接重なって形成されている請求項６又は７に記載の液晶表示装置。
【請求項１１】
前記ヒーター電極は、メタル膜からなるメタルＢＭである請求項６又は７に記載の液晶表示装置。
【請求項１２】
前記絶縁層は、前記着色層下に形成された樹脂ＢＭをさらに含む請求項６に記載の液晶表示装置。
【請求項１３】
前記ヒーター電極用導電層及び前記対向電極用導電層は、導電性粒子を含有させたシール材によって形成され、前記導電性粒子を含有させたシール材によって前記アレイ基板と前記対向基板とが貼り合わされ液晶が封入されている請求項１乃至１２のいずれか１項に記載の液晶表示装置。
【発明の詳細な説明】
【技術分野】
【０００１】
本発明は、液晶表示装置に関し、特に詳しくは低温環境下において良好な表示を行うための温度調整機能を備えた液晶表示装置に関する。
【背景技術】
【０００２】
現在、表示装置は、人と機械とをつなぐインターフェースとして広く使用され、目ざましい進展を果たしている。例えば、カーナビゲーションシステムに用いられる車載用表示装置は、道路地図の表示やＴＶ放送の受信画像の表示など、さまざまな目的に用いられる。この車載用表示装置としては、薄型・軽量・低消費電力という利点を有することから、液晶表示装置が広く用いられている。
【０００３】
車載用表示装置は、動作環境が厳しく、低温環境下や高温環境下での使用に耐えることが要求される。しかし、液晶表示装置の表示材料として用いられる液晶は、温度が低いほど応答速度が低下し、特に低温環境下では応答速度が極端に遅くなる。したがって、低温環境下で液晶表示装置を使用すると、表示すべき画像の動きに液晶が追随せず、表示性能が低下するという問題があった。
【０００４】
従来から、低温環境における液晶の応答速度を改善すべく、温度維持機能を備えた液晶表示装置が提案されている。例えば、特許文献１には、薄膜トランジスタ（Thin Film Transistor：ＴＦＴ）アレイ基板と対向配置される対向基板上に、ヒータ用共通電極を形成し、このヒータ用共通電極に電流を流すことによって液晶パネルの内部の温度を上昇させる液晶表示装置が開示されている。
【０００５】
このヒータ用共通電極は、対向基板側の透明基板と、ＢＭ／カラーフィルタ層との間に形成されている。ヒータ用共通電極は、ＴＦＴアレイ基板側に形成されたヒータ用共通配線と、ヒータ用導電層を介して電気的に接続されている。このヒータ用導電層を介して、ＴＦＴアレイ基板側に形成されたヒータ用共通配線からヒータ用共通電極に電流が供給される。
【０００６】
また、ＢＭ／カラーフィルタ層上に、対向電極が形成されている。対向電極は、ＴＦＴアレイ基板側に形成された対向電極用配線と、対向電極用導電層を介して電気的に接続される。この対向電極用導電層を介して、ＴＦＴアレイ基板側に形成された対向電極用配線から対向電極に電流が供給される。
【先行技術文献】
【特許文献】
【０００７】
【特許文献１】特開２００５−１２２１９０号公報
【発明の概要】
【発明が解決しようとする課題】
【０００８】
しかしながら、特許文献１の構成では、対向電極と対向電極用配線との間が、ヒータ用共通電極とヒータ用共通配線との間よりも狭くなっている。そのため、異なる厚さのヒーター電極用導電層と対向電極用導電層を形成する必要があり、これらの電気的接続に関して信頼性が低いという問題があった。例えば、銀ペーストなど、厚さによらず導通が比較的取り易い材料を双方に使用したとしても、それぞれの箇所で最適な圧着条件が異なるため、導通不良が発生し易い。また、外部からの衝撃によって、銀ペーストを用いた導通自体に導通不良が発生する懸念がある。
【０００９】
一方、電気的接続の信頼性を向上する為に、樹脂材料中に導電性粒子を混入し樹脂材料を硬化させることにより導通を得るタイプの導電層を用い、混入する導電性粒子の径をそれぞれの導電層の厚さに応じたものとすることにより、双方の導通を最適化する方法が考えられる。しかしながら、この方法は、プロセス数または部材が増え、コストが増加するという課題があった。
【００１０】
本発明は、上記のような問題点を解決するためになされたものであり、信頼性を簡便に向上できる温度調整機能付きの液晶表示装置を提供することを目的とする。
【課題を解決するための手段】
【００１１】
本発明の第１の態様にかかる液晶表示装置は、画素電極を有するアレイ基板と、前記アレイ基板に対向配置された対向基板と、前記対向基板上に形成されたヒーター電極と、前記ヒーター電極上に絶縁層を介して形成され、前記画素電極に対向配置される対向電極と、前記ヒーター電極の形成領域上の前記絶縁層が除去されている第１除去部と、前記ヒーター電極の形成領域外の前記絶縁層が除去されている第２除去部と、前記アレイ基板と、前記第１除去部内の前記ヒーター電極とに接続するよう、前記第１除去部に形成されたヒーター電極用導電層と、前記アレイ基板と、前記絶縁層上から前記第２除去部内に延在されている前記対向電極とに接続するよう、前記第２除去部に前記ヒーター電極用導電層と同じ導電材料によって形成された対向電極用導電層と、を備えるものである。
【００１２】
また、本発明の第２の態様にかかる液晶表示装置は、画素電極を有するアレイ基板と、前記アレイ基板に対向配置された対向基板と、前記対向基板上に形成されたヒーター電極と、前記ヒーター電極上に絶縁層を介して形成され、前記画素電極に対向配置される対向電極と、前記ヒーター電極の形成領域上の前記絶縁層が除去されている開口部と、前記絶縁層上に前記対向電極と離間して設けられ、前記開口部内の前記ヒーター電極と接続するよう形成されている変換導電層と、前記アレイ基板と、前記絶縁層上の前記変換導電層とに接続するよう形成されたヒーター電極用導電層と、前記アレイ基板と、前記絶縁層上の前記対向電極とに接続するよう、前記ヒーター電極用導電層と同じ導電材料によって形成された対向電極用導電層と、を備えるものである。
【発明の効果】
【００１３】
本発明によれば、信頼性を簡便に向上できる温度調整機能付きの液晶表示装置を提供することができる。
【図面の簡単な説明】
【００１４】
【図１】実施の形態１に係る液晶表示装置に用いられる液晶表示パネルの構成を模式的に示す正面図である。
【図２】実施の形態１に係る液晶表示パネルのトランスファ部を含む端部の構成を模式的に示す断面図である。
【図３】実施の形態２に係る液晶表示装置に用いられる液晶表示パネルのトランスファ部を含む端部の構成を模式的に示す断面図である。
【図４】実施の形態３に係る液晶表示装置に用いられる液晶表示パネルのトランスファ部を含む端部の構成を模式的に示す断面図である。
【図５】実施の形態４に係る液晶表示装置に用いられる液晶表示パネルのトランスファ部を含む端部の構成を模式的に示す断面図である。
【図６】実施の形態５に係る液晶表示装置に用いられる液晶表示パネルのトランスファ部を含む端部の構成を模式的に示す断面図である。
【図７】実施の形態６に係る液晶表示装置に用いられる液晶表示パネルのトランスファ部を含む端部の構成を模式的に示す断面図である。
【図８】実施の形態７に係る液晶表示装置に用いられる液晶表示パネルのトランスファ部を含む端部の構成を模式的に示す断面図である。
【発明を実施するための形態】
【００１５】
以下、図面を参照して本発明の実施の形態について説明する。説明の明確化のため、以下の記載及び図面は、適宜、省略及び簡略化がなされている。また、説明の明確化のため、必要に応じて重複説明は省略されている。尚、各図において同一の符号を付されたものは同様の要素を示しており、適宜、説明が省略されている。
【００１６】
実施の形態１．
本実施の形態１に係る液晶表示装置について、図１及び図２を用いて説明する。図１は、実施の形態１に係る液晶表示装置に用いられる液晶表示パネルの構成を模式的に示す正面図である。図２は、実施の形態１に係る液晶表示パネルのトランスファ部を含む端部の構成を模式的に示す断面図である。図２（ａ）は、図１のIIA−IIA断面図であり、ヒーター電極用トランスファ部とその近傍の構成を示している。また、図２（ｂ）は、図１のIIB−IIB断面図であり、対向電極用トランスファ部とその近傍の構成を示している。本実施の形態１に係る液晶表示装置は、ＴＦＴを有するアクティブマトリクス型液晶表示装置を例として説明するが、ＴＦＴ以外のスイッチング素子を用いてもよい。
【００１７】
図１において、本実施の形態１に係る液晶表示装置は、液晶表示パネル１００を備えている。液晶表示パネル１００は、ＴＦＴアレイ基板４０と、対向基板１０とが互いに対向して配置されている。
【００１８】
ＴＦＴアレイ基板４０には、図示しない複数のゲート配線（走査信号線）と複数のソース配線（映像信号線）とが形成されている。複数のゲート配線は平行に設けられている。同様に、複数のソース配線は平行に設けられている。ゲート配線とソース配線とは、絶縁膜を介して互いに交差するように形成されている。例えば、ゲート配線とソース配線とは直交している。隣接するゲート配線とソース配線とで囲まれた領域が画素となる。そして、これら複数の画素がマトリクス状に配列されている領域が表示領域５１である。表示領域５１の外側には額縁領域５２が配置されている。額縁領域５２は、矩形状の表示領域５１を囲むように配置される。すなわち、額縁領域５２は、額縁状に形成されている。
【００１９】
ＴＦＴアレイ基板４０の額縁領域５２には、走査信号駆動回路（ゲートドライバー）と表示信号駆動回路（ソースドライバー）とが設けられている。ゲート配線は、表示領域５１から額縁領域５２まで延設され、ＴＦＴアレイ基板４０の端部で、走査信号駆動回路に接続される。ソース配線も同様に、表示領域５１から額縁領域５２まで延設され、ＴＦＴアレイ基板４０の端部で、表示信号駆動回路と接続される。走査信号駆動回路の近傍には、外部配線が接続されている。また、表示信号駆動回路の近傍には、外部配線が接続されている。これら外部配線は、例えば、ＦＰＣ（Flexible Printed Circuit）等の配線基板である。
【００２０】
外部配線を介して走査信号駆動回路、及び表示信号駆動回路に、外部からの各種信号が供給される。走査信号駆動回路は外部からの制御信号に基づいて、走査信号をゲート配線に供給する。このゲート信号によって、ゲート配線が順次選択されていく。表示信号駆動回路は外部からの制御信号や、表示データに基づいて表示信号をソース配線に供給する。これにより、表示データに応じた表示電圧を各画素に供給することができる。
【００２１】
画素内には、少なくとも１つのＴＦＴが形成されている。ＴＦＴはソース配線とゲート配線の交差点近傍に配置される。ＴＦＴのゲート電極がゲート配線に、ソース電極がソース配線に、ドレイン電極が画素電極にそれぞれ接続される。例えば、このＴＦＴが画素電極に表示電圧を供給する。即ち、ゲート配線からのゲート信号によって、スイッチング素子であるＴＦＴがオンする。これにより、ソース配線から、ＴＦＴのドレイン電極に接続された画素電極に表示電圧が印加される。画素電極と対向電極との間には、表示電圧に応じた電界が生じる。画素電極は、ゲート配線とソース配線とによって囲まれた画素の略全域に形成されている。従って、画素電極は、表示領域５１内にアレイ状に配列されている。なお、ＴＦＴアレイ基板４０の表面には、所定の方向に配向された配向膜が形成されている。
【００２２】
ＴＦＴアレイ基板４０には、対向基板１０が対向して配置されている。対向基板１０は、例えば、カラーフィルタ基板であり、視認側に配置される。対向基板１０には、ブラックマトリクス（Black Matrix：ＢＭ）、着色層、オーバーコート（Over Coat：ＯＣ）膜１８、対向電極１６、及び配向膜等が形成されている。また、本実施の形態１では、対向基板１０には、液晶３０の温度調整を行うためのヒーター電極１５が形成されている。
【００２３】
具体的には、図２に示すように、対向基板１０は、ガラス等の透明な絶縁性の基板１１上の、ＴＦＴアレイ基板４０と対向する面に、ＢＭ１２が形成されている。図１及び図２では図示されていないが、ＢＭ１２は、表示領域５１において、例えば各画素を囲うよう格子状に配設されている。また、ＢＭ１２は、額縁領域５２において、表示領域５１を囲うよう枠状に設けられている。図２には、この枠状のＢＭ１２の端部が記載されている。本実施の形態では、このＢＭ１２は、黒色着色剤を含む樹脂材料である樹脂ＢＭによって形成されているため、後述するヒーター電極１５との絶縁性を確保することができる。
【００２４】
そして、ＢＭ１２上には、ヒーター電極１５が形成されている。ヒーター電極１５は、ＩＴＯ（Indium Tin Oxide）などの透明導電膜によって形成され、表示領域５１の略全域に設けられている。表示領域５１を内包するように、例えば矩形状のヒーター電極１５が形成されている。
【００２５】
ヒーター電極１５上には、顔料あるいは染料からなる着色層１３が形成されている。着色層１３は、例えばＲ（赤）、Ｇ（緑）、Ｂ（青）のカラーフィルタである。表示領域５１では、ＢＭ１２で囲まれた領域を埋めるように着色層１３が形成されている。なお、図２に示すように、額縁領域５２に設けられた枠状のＢＭ１２上にも着色層１３が形成されていてもよい。
【００２６】
着色層１３を覆うように、ＯＣ膜１８が形成されている。ＯＣ膜１８は、透明性を有する樹脂であり、表示領域５１の略全域に設けられている。例えば、上面視でヒーター電極１５を内包するように、矩形状のＯＣ膜１８が形成されている。
【００２７】
このＯＣ膜１８の上に、ＩＴＯなどの透明導電膜からなる対向電極１６が積層形成されている。対向電極１６は、表示領域５１の略全域に形成され、画素電極と対向配置されている。例えば、上面視で、ヒーター電極１５を内包し、かつＯＣ膜１８に内包されるように、矩形状の対向電極１６が形成されている。すなわち、ヒーター電極１５よりも大きく、ＯＣ膜１８よりも小さい対向電極１６が形成されている。対向電極１６は、ヒーター電極１５上に着色層１３とＯＣ膜１８とを含む絶縁層を介して配設されているので、ヒーター電極１５と電気的に絶縁される。なお、対向基板１０の表面には、所定の方向に配向された配向膜が形成されている。
【００２８】
このように、本実施の形態１の対向基板１０は、基板１１上に、樹脂ＢＭ１２、ヒーター電極１５、着色層１３、ＯＣ膜１８、対向電極１６、及び配向膜がこの順に積層された構成となっている。
【００２９】
ＴＦＴアレイ基板４０と対向基板１０とは、シール材３１を介して貼り合わされている。シール材３１は、表示領域５１を囲むよう枠状に形成されている。ここでは、矩形状のＯＣ膜１８を囲むようにシール材３１が形成されている。そして、ＴＦＴアレイ基板４０と対向基板１０との間には液晶層が狭持される。即ち、ＴＦＴアレイ基板４０と対向基板１０とシール材３１とで形成される空間には、液晶３０が封入されている。液晶３０は、ＴＦＴアレイ基板４０及び対向基板１０に設けられた配向膜によって所定の方向に配向されている。更に、ＴＦＴアレイ基板４０と対向基板１０との外側の面には、偏光板、及び位相差板等が設けられる。また、液晶表示パネル１００の反視認側には、バックライトユニット等が配設される。さらに、液晶表示パネル１００は、液晶３０の温度を感知するためのセンサ、及びこのセンサが感知した温度に基づいてヒーター電極１５に電流を流すための制御回路等を備えていてもよい。
【００３０】
画素電極と対向電極１６との間の電界によって、液晶３０が駆動される。即ち、基板間の液晶３０の配向方向が変化する。これにより、液晶層を通過する光の偏光状態が変化する。即ち、偏光板を通過して直線偏光となった光は液晶層によって、偏光状態が変化する。具体的には、バックライトユニットからの光は、ＴＦＴアレイ基板４０側の偏光板によって直線偏光になる。この直線偏光が液晶層を通過することによって、偏光状態が変化する。
【００３１】
偏光状態によって、対向基板１０側の偏光板を通過する光量は変化する。即ち、バックライトユニットから液晶表示パネル１００を透過する透過光のうち、視認側の偏光板を通過する光の光量が変化する。液晶３０の配向方向は、印加される表示電圧によって変化する。従って、表示電圧を制御することによって、視認側の偏光板を通過する光量を変化させることができる。即ち、画素ごとに表示電圧を変えることによって、所望の画像を表示することができる。
【００３２】
なお、液晶表示装置の動作モードは、ＴＮ（Twisted Nematic）モードの他、ＶＡ（Vertical Alignment）モード、ＥＣＢ（Electrical Controlled Birefringence）モード等、画素電極と対向電極１６との間の電界を利用して液晶３０を駆動する他のモードを用いることができる。
【００３３】
ここで、額縁領域５２には、少なくとも１つ以上の対向電極用トランスファ部６と、少なくとも２つ以上のヒーター電極用トランスファ部５とが設けられている。ヒーター電極用トランスファ部５は、表示領域５１を挟むように２つ以上形成されている。ここでは、図１に示す液晶表示パネル１００の右上角部近傍と左下角部近傍とに対向電極用トランスファ部６が設けられ、左上角部近傍と右下角部近傍とにヒーター電極用トランスファ部５が設けられている。対向電極用トランスファ部６とヒーター電極用トランスファ部５とは、例えばシール材３１よりも外側に配設される。
【００３４】
ヒーター電極用トランスファ部５では、図２（ａ）に示すように、ヒーター電極１上のＯＣ膜１８及び着色層１３と対向電極１６とが除去されており、ヒーター電極１５が露出している。例えば、図１に示す液晶表示パネル１００の左上角部近傍と右下角部近傍のように、矩形状のヒーター電極１５の角部が突出するように形成されていると、その突出した部分を矩形状のＯＣ膜１８と対向電極１６とに覆われない構成とすることができる。このように、ヒーター電極１５上のＯＣ膜１８は少なくとも一部が除去され、このＯＣ膜１８上で対向電極１６がパターニングされている。すなわち、ヒーター電極１５と対向電極１６との間に設けられた着色層１３とＯＣ膜１８を含む絶縁層には、ヒーター電極１５上の少なくとも一部が除去された第１除去部２０ａが形成されている。対向電極１６は、第１除去部２０ａに露出したヒーター電極１５と導通しないよう、そのパターン端部が絶縁層のパターン端部より内側に位置するように形成されている。従って、対向電極１６のパターン端部が第１除去部２０ａの外側に配置される。
【００３５】
そして、第１除去部２０ａには、ヒーター電極１５上に、ヒーター電極用導電層３５が形成されている。このヒーター電極用導電層３５は、ＴＦＴアレイ基板４０上に形成されたヒーター用電流転送配線４５に接続する。ヒーター用電流転送配線４５は、ヒーター電極１５を外部定電流源と電気的に接続するために設けられた配線であり、額縁領域５２に形成されている。すなわち、ヒーター電極用導電層３５は、対向基板１０側に設けられたヒーター電極１５と、ＴＦＴアレイ基板４０側に設けられたヒーター用電流転送配線４５とに接続するよう形成されている。ヒーター電極１５が、ヒーター用電流転送配線４５と、ヒーター電極用導電層３５を介して電気的に接続されている箇所がヒーター電極用トランスファ部５となる。このヒーター用電流転送配線４５及びヒーター電極用導電層３５を介して、外部から供給された電流がヒーター電極１５に伝達される。
【００３６】
ヒーター電極用トランスファ部５からヒーター電極１５に電流を流すことにより発生するジュール熱を利用して、液晶３０の温度調整を行うことができる。
【００３７】
一方、対向電極用トランスファ部６では、図２（ｂ）に示すように、対向電極１６の下のＯＣ膜１８とヒーター電極１５とが除去されており、対向電極１６がＢＭ１２上に直接重なっている。例えば、図１に示す液晶表示パネル１００の右上角部近傍と左下角部近傍のように、矩形状の対向電極１６の角部が突出するように形成されていると、その突出した部分が矩形状のＯＣ膜１８とヒーター電極１５からはみ出して、ＢＭ１２上に直接重なる構成とすることができる。このように、対向電極１６下のＯＣ膜１８は少なくとも一部が除去され、このＯＣ膜１８下でヒーター電極１５がパターニングされている。すなわち、ヒーター電極１５と対向電極１６との間に設けられた着色層１３とＯＣ膜１８を含む絶縁層には、対向電極１６下の少なくとも一部が除去された第２除去部２０ｂが形成されている。対向電極１６は、この絶縁層上から第２除去部２０ｂ内に延在されている。ヒーター電極１５は、第２除去部２０ｂ内の対向電極１６と導通しないよう、そのパターン端部が絶縁層のパターン端部より内側に位置するように形成されている。従って、ヒーター電極１５のパターン端部が第２除去部２０ｂの外側に配置される。
【００３８】
そして、第２除去部２０ｂには、対向電極１６上に、対向電極用導電層３６が形成されている。この対向電極用導電層３６は、ＴＦＴアレイ基板４０上に形成されたコモン電位転送配線４６に接続する。コモン電位転送配線４６は、対向電極１６を制御回路と電気的に接続するために設けられた配線であり、額縁領域５２に形成されている。すなわち、対向電極用導電層３６は、対向基板１０側に設けられた対向電極１６と、ＴＦＴアレイ基板４０側に設けられたコモン電位転送配線４６とに接続するよう形成されている。対向電極１６が、コモン電位転送配線４６と、対向電極用導電層３６を介して電気的に接続されている箇所が対向電極用トランスファ部６となる。このコモン電位転送配線４６及び対向電極用導電層３６を介して、制御回路から供給された共通電位（コモン電位）Ｖｃｏｍが対向電極１６に伝達される。
【００３９】
対向電極用トランスファ部６では、対向電極１６が、ヒーター電極用トランスファ部５のヒーター電極１５と同様、ＢＭ１２の上に直接形成されている。そのため、対向電極用トランスファ部６における対向電極１６とコモン電位転送配線４６との間の距離は、ヒーター電極用トランスファ部５におけるヒーター電極１５とヒーター用電流転送配線４５との間の距離とほぼ同じになる。従って、ヒーター電極用トランスファ部５と対向電極用トランスファ部６とにそれぞれ形成されるヒーター電極用導電層３５と対向電極用導電層３６とが略同じ厚さとなる。
【００４０】
ヒーター電極用導電層３５と対向電極用導電層３６は、同じ導電材料によって形成されている。同じ導電材料によって形成しても、ヒーター電極用導電層３５と対向電極用導電層３６とが略同じ厚さであるため、導通不良が発生することを抑制できる。例えば、ヒーター電極用導電層３５及び対向電極用導電層３６は、電気的に容易に導通される導電物質である銀ペースト、または例えばアクリル粒子の表面に金などのコーティングされた導電性粒子などが混入された樹脂を含む導電材料を用いることができる。導電性粒子が混入された樹脂を含む導電材料を用いる場合、ヒーター電極用導電層３５と対向電極用導電層３６とで同じ径の導電性粒子を使用できる。
【００４１】
このように、本実施の形態１に係る液晶表示装置は、画素電極を有するＴＦＴアレイ基板４０と、ＴＦＴアレイ基板４０に対向配置された対向基板１０と、対向基板１０上に形成されたヒーター電極１５と、ヒーター電極１５上に絶縁層を介して形成され、画素電極に対向配置される対向電極１６とを備えている。そして、ヒーター電極１５の形成領域上の絶縁層が除去されている第１除去部２０ａと、ヒーター電極１５の形成領域外の絶縁層が除去されている第２除去部２０ａとを設けている。そして、ＴＦＴアレイ基板４０上のヒーター用電流転送配線４５と、第１除去部２０ａ内のヒーター電極１５とに接続するよう、ヒーター電極用導電層３５を第１除去部２０ａに形成している。また、ＴＦＴアレイ基板４０上のコモン電位転送配線４６と、絶縁層上から第２除去部２０ｂ内に延在されている対向電極１６とに接続するよう、対向電極用導電層３６を第２除去部２０ｂにヒーター電極用導電層３５と同じ導電材料によって形成している。
【００４２】
以上のように、本実施の形態１では、ヒーター電極１５と対向電極１６との間に設けられた絶縁層に除去部を設け、この除去部内にヒーター電極用トランスファ部５と対向電極用トランスファ部６とを形成する。これにより、ヒーター電極用導電層３５と対向電極用導電層３６の厚さをほぼ等しくすることができ、これらの圧着条件を等しくすることができる。従って、良好な導通を得ることができる。また、導電体として樹脂に導電性粒子を混入させる方式をとった場合、銀ペーストなどに比べて外部衝撃などに強く、電気的接続に関する信頼性が向上する。さらに、製造面においても、歩留りの向上に加え、導電性粒子の径を変える必要がなく、製造工程の増加を抑制することができるので、製造コストを削減することができる。その結果、不良品の代替品を作ることも含め無用な製造処理を行う必要が無くなり、製造時におけるエネルギー消費量の削減、原材料の減量化が可能となる。従って、信頼性を簡便に向上できる温度調整機能付きの液晶表示装置を提供することができる。
【００４３】
実施の形態２．
本実施の形態２に係る液晶表示装置について、図３を用いて説明する。図３は、実施の形態２に係る液晶表示装置に用いられる液晶表示パネルのトランスファ部を含む端部の構成を模式的に示す断面図である。図３（ａ）は、ヒーター電極用トランスファ部５とその近傍の構成を示している。また、図３（ｂ）は、対向電極用トランスファ部６とその近傍の構成を示している。なお、本実施の形態２に係る液晶表示装置の基本的構成については、実施の形態１と同様であるため、説明を省略する。例えば、ヒーター電極１５と対向電極１６との間に設けられた絶縁層に除去部（第１除去部２０ａ、第２除去部２０ｂ）が設けられており、この除去部内にヒーター電極用トランスファ部５と対向電極用トランスファ部６とが形成されている。
【００４４】
実施の形態１では、ヒーター電極１５がＢＭ１２の上に形成されていたが、本実施の形態２では、図３に示すように、ヒーター電極１５がＢＭ１２の下に形成されている。具体的には、本実施の形態２の対向基板１０は、基板１１上に、ヒーター電極１５、樹脂ＢＭ１２、着色層１３、対向電極１６、及び配向膜がこの順に積層された構成となっている。従って、実施の形態１では、ヒーター電極１５と対向電極１６との間には、着色層１３とＯＣ膜１８とを含む絶縁層が形成されていたが、本実施の形態２では、ＢＭ１２と着色層１３とを含む絶縁層が形成されている。なお、図３に示すように、額縁領域５２に設けられる枠状のＢＭ１２の上には着色層１３が形成されていなくてもよい。
【００４５】
ヒーター電極用トランスファ部５は、図３（ａ）に示すように、ヒーター電極１５の形成領域上の、ＢＭ１２と着色層１３を含む絶縁層が除去された第１除去部２０ａ内に形成されている。一方、対向電極用トランスファ部６は、図３（ｂ）に示すように、ヒーター電極１５の形成領域外上の、ＢＭ１２と着色層１３を含む絶縁層が除去された第２除去部２０ｂ内に形成されている。
【００４６】
対向電極用トランスファ部６では、対向電極１６が、ヒーター電極用トランスファ部５のヒーター電極１５と同様、基板１１の上に直接形成されている。そのため、対向電極用トランスファ部６における対向電極１６とコモン電位転送配線４６との間の距離は、ヒーター電極用トランスファ部５におけるヒーター電極１５とヒーター用電流転送配線４５との間の距離とほぼ同じになる。従って、実施の形態と同様、ヒーター電極用トランスファ部５と対向電極用トランスファ部６とにそれぞれ形成されるヒーター電極用導電層３５と対向電極用導電層３６の厚さを略等しくすることができる。それ以外の構成については、実施の形態１と同様であるため説明を省略する。
【００４７】
このように、本実施の形態２では、黒色着色剤を含む樹脂材料でＢＭ１２を形成し、ヒーター電極１５と対向電極１６との間の絶縁を、ＢＭ１２と着色層１３を含む絶縁層により確保している。これにより、着色層１３を覆うＯＣ膜１８を形成することなく、ヒーター電極１５と対向電極１６とを絶縁できる。従って、ＯＣ膜１８の形成を省略することができ、実施の形態１よりも生産性が向上する。また、実施の形態１と同様の効果を奏することができる。
【００４８】
実施の形態３．
本実施の形態３に係る液晶表示装置について、図４を用いて説明する。図４は、実施の形態３に係る液晶表示装置に用いられる液晶表示パネルのトランスファ部を含む端部の構成を模式的に示す断面図である。図４（ａ）は、ヒーター電極用トランスファ部５とその近傍の構成を示している。また、図４（ｂ）は、対向電極用トランスファ部６とその近傍の構成を示している。なお、本実施の形態３に係る液晶表示装置の基本的構成については、実施の形態１と同様であるため、説明を省略する。例えば、ヒーター電極１５と対向電極１６との間に設けられた絶縁層に除去部（第１除去部２０ａ、第２除去部２０ｂ）が設けられており、この除去部内にヒーター電極用トランスファ部５と対向電極用トランスファ部６とが形成されている。
【００４９】
本実施の形態３では、実施の形態１と異なり、ＢＭ１２がメタル膜よって形成されている。ここでは、例えば、酸化クロム等からなる反射防止膜の上にクロム等の遮光層が積層された低反射メタル膜によって、ＢＭ１２が形成されている。低反射メタル膜は、薄膜干渉効果を利用した基板１１側からの低反射性と、樹脂ＢＭよりも優れた遮光性とを兼ね備えている。そして、図４に示すように、ＢＭ１２とヒーター電極１５との間に絶縁膜１９がさらに設けられている。絶縁膜１９は、例えば、透明性を有する樹脂である。従って、本実施の形態３の対向基板１０は、基板１１上に、メタルＢＭ１２、絶縁膜１９、ヒーター電極１５、着色層１３、対向電極１６、及び配向膜がこの順に積層された構成となっている。
【００５０】
ヒーター電極用トランスファ部５は、図４（ａ）に示すように、実施の形態１と同様、ヒーター電極１５の形成領域上の、着色層１３とＯＣ膜１８とを含む絶縁層が除去された第１除去部２０ａ内に形成されている。一方、対向電極用トランスファ部６は、図４（ｂ）に示すように、実施の形態１と同様、ヒーター電極１５の形成領域外上の、着色層１３とＯＣ膜１８とを含む絶縁層が除去された第２除去部２０ｂ内に形成されている。
【００５１】
対向電極用トランスファ部６では、対向電極１６が、ヒーター電極用トランスファ部５のヒーター電極１５と同様、絶縁膜１９の上に直接形成されている。そのため、対向電極用トランスファ部６における対向電極１６とコモン電位転送配線４６との間の距離は、ヒーター電極用トランスファ部５におけるヒーター電極１５とヒーター用電流転送配線４５との間の距離とほぼ同じになる。従って、実施の形態１と同様、ヒーター電極用トランスファ部５と対向電極用トランスファ部６とにそれぞれ形成されるヒーター電極用導電層３５と対向電極用導電層３６の厚さを略等しくすることができる。それ以外の構成については、実施の形態１と同様であるため説明を省略する。
【００５２】
このように、本実施の形態３では、ＢＭ１２とヒーター電極１５との間に絶縁膜１９を形成することによって、ＢＭ１２とヒーター電極１５の間の絶縁を確保できる。これにより、低反射メタル膜などの導電性を有するＢＭ１２を形成することができ、低反射性と優れた遮光性とを得ることができる。また、実施の形態１と同様の効果を奏することができる。
【００５３】
実施の形態４．
本実施の形態４に係る液晶表示装置について、図５を用いて説明する。図５は、実施の形態４に係る液晶表示装置に用いられる液晶表示パネルのトランスファ部を含む端部の構成を模式的に示す断面図である。図５（ａ）は、ヒーター電極用トランスファ部５とその近傍の構成を示している。また、図５（ｂ）は、対向電極用トランスファ部６とその近傍の構成を示している。本実施の形態４では、対向基板１０の構成が実施の形態３と異なっていて、それ以外の構成については実施の形態３と同様であるため、説明を省略する。
【００５４】
本実施の形態４では、実施の形態３と異なり、図５に示すように、ＢＭ１２とヒーター電極１５との間に絶縁膜１９が設けられていない構成としてもよい。そのため、メタルＢＭ１２とヒーター電極１５とが直接重なり、電気的に接続されている。従って、本実施の形態４の対向基板１０は、基板１１上に、メタルＢＭ１２、ヒーター電極１５、着色層１３、対向電極１６、及び配向膜がこの順に積層された構成となっている。
【００５５】
ヒーター電極用トランスファ部５は、図５（ａ）に示すように、ヒーター電極１５の形成領域上の、着色層１３とＯＣ膜１８とを含む絶縁層が除去された第１除去部２０ａ内に形成されている。そのため、ヒーター電極用トランスファ部５では、ヒーター電極１５がメタルＢＭ１２を介して基板１１上に形成されている。
【００５６】
一方、対向電極用トランスファ部６は、図５（ｂ）に示すように、ヒーター電極１５の形成領域外上の、着色層１３とＯＣ膜１８とを含む絶縁層が除去された第２除去部２０ｂ内に形成されている。対向電極１６は、この絶縁層上から第２除去部２０ｂ内に延在されている。本実施の形態４のＢＭ１２は、ヒーター電極１５と同様、第２除去部２０ｂ内の対向電極１６と導通しないよう、そのパターン端部が絶縁層のパターン端部より内側に位置するように形成されている。そのため、対向電極用トランスファ部６では、対向電極１６が基板１１上に直接形成される。
【００５７】
メタルＢＭ１２は、ヒーター電極１５と対向電極１６との間に設けられた絶縁層と比べて膜厚が非常に薄いことから、対向電極用トランスファ部６における対向電極１６とコモン電位転送配線４６との間の距離は、ヒーター電極用トランスファ部５におけるヒーター電極１５とヒーター用電流転送配線４５との間の距離とほぼ同等となる。従って、実施の形態３と同様、ヒーター電極用トランスファ部５と対向電極用トランスファ部６とにそれぞれ形成されるヒーター電極用導電層３５と対向電極用導電層３６の厚さを略同等とすることができる。それ以外の構成については、実施の形態３と同様であるため説明を省略する。
【００５８】
このように、本実施の形態４では、ＢＭ１２が第２除去部２０ｂと重複しないよう、ＢＭ１２のパターン端部が絶縁層のパターン端部よりも内側に配置される。これにより、ＢＭ１２とヒーター電極１５との間の絶縁を確保するための絶縁膜を形成することなく、ＢＭ１２を、第２除去部２０ｂ内に延在される対向電極１６と絶縁することができる。従って、ＢＭ１２とヒーター電極１５との間の絶縁を確保するための絶縁膜の形成を省くことができ、実施の形態３よりも生産性が向上する。また、実施の形態１、３と同様の効果を奏することができる。
【００５９】
なお、ＢＭ１２がさらに第１除去部２０ａと重複しないよう、ＢＭ１２のパターン端部が絶縁層のパターン端部よりも内側に配置されていてもよい。これにより、ヒーター電極用トランスファ部５では、ヒーター電極１５が、対向電極用トランスファ部６の対向電極１６と同様、基板１１上に直接形成されるようになる。すなわち、ヒーター電極用トランスファ部５と対向電極用トランスファ部６とにそれぞれ形成されるヒーター電極用導電層３５と対向電極用導電層３６の厚さを、より等しくすることができる。
【００６０】
また、ＢＭ１２とヒーター電極１５の積層順は、逆であってもよい。すなわち、対向基板１０は、基板１１上に、ヒーター電極１５、メタルＢＭ１２、着色層１３、対向電極１６、及び配向膜がこの順に積層された構成としてもよい。ＢＭ１２とヒーター電極１５の積層順が逆でも、上記と同様の効果を奏することができる。従って、ヒーター電極１５がメタルＢＭ１２の上または下に直接重なって形成されていればよい。
【００６１】
実施の形態５．
本実施の形態５に係る液晶表示装置について、図６を用いて説明する。図６は、実施の形態５に係る液晶表示装置に用いられる液晶表示パネルのトランスファ部を含む端部の構成を模式的に示す断面図である。図６（ａ）は、ヒーター電極用トランスファ部５とその近傍の構成を示している。また、図６（ｂ）は、対向電極用トランスファ部６とその近傍の構成を示している。本実施の形態５では、対向基板１０の構成が実施の形態４と異なっていて、それ以外の構成については実施の形態４と同様であるため、説明を省略する。
【００６２】
本実施の形態５では、実施の形態４と異なり、図６に示すように、ヒーター電極１５が設けられていない構成としてもよい。そのため、ヒーター電極用トランスファ部５では、ヒーター電極用導電層３５が、対向基板１０側に設けられたＢＭ１２と、ＴＦＴアレイ基板４０側に設けられたヒーター用電流転送配線４５とに接続するよう形成されている。従って、本実施の形態５の対向基板１０は、基板１１上に、メタルＢＭ１２、着色層１３、対向電極１６、及び配向膜がこの順に積層された構成となっている。
【００６３】
ヒーター用電流転送配線４５及びヒーター電極用導電層３５を介して、外部から供給された電流がＢＭ１２に伝達される。ヒーター電極用トランスファ部５からＢＭ１２に電流を流すことにより発生するジュール熱を利用して、液晶３０の温度調整を行うことができる。このように、ＢＭ１２が、光を遮光する遮光膜としての機能に加え、ヒーター電極としての機能を備えている。すなわち、本実施の形態５では、液晶３０の温度調整を行うためのヒーター電極が、メタルＢＭ１２である。
【００６４】
ヒーター電極用トランスファ部５は、図６（ａ）に示すように、ＢＭ１２の形成領域上の、着色層１３とＯＣ膜１８とを含む絶縁層が除去された第１除去部２０ａ内に形成されている。一方、対向電極用トランスファ部６は、図６（ｂ）に示すように、ＢＭ１２の形成領域外上の、着色層１３とＯＣ膜１８とを含む絶縁層が除去された第２除去部２０ｂ内に形成されている。
【００６５】
対向電極用トランスファ部６では、対向電極１６が、ヒーター電極用トランスファ部５のＢＭ１２と同様、基板１１の上に直接形成されている。そのため、対向電極用トランスファ部６における対向電極１６とコモン電位転送配線４６との間の距離は、ヒーター電極用トランスファ部５におけるＢＭ１２とヒーター用電流転送配線４５との間の距離とほぼ同じになる。従って、実施の形態４と同様、ヒーター電極用トランスファ部５と対向電極用トランスファ部６とにそれぞれ形成されるヒーター電極用導電層３５と対向電極用導電層３６の厚さを略等しくすることができる。それ以外の構成については、実施の形態４と同様であるため説明を省略する。
【００６６】
このように、本実施の形態５では、ＢＭ１２をヒーター電極としても用いている。これにより、ヒーター用電極を別途形成することなく、液晶３０の温度調整ができる。従って、ヒーター用電極専用の導電層の形成を省くことができ、実施の形態４よりもさらに生産性が向上する。また、実施の形態１、３と同様の効果を奏することができる。
【００６７】
実施の形態６．
本実施の形態６に係る液晶表示装置について、図７を用いて説明する。図７は、実施の形態６に係る液晶表示装置に用いられる液晶表示パネルのトランスファ部を含む端部の構成を模式的に示す断面図である。図７（ａ）は、ヒーター電極用トランスファ部５とその近傍の構成を示している。また、図７（ｂ）は、対向電極用トランスファ部６とその近傍の構成を示している。本実施の形態６では、ヒーター電極用トランスファ部５と対向電極用トランスファ部６が形成される領域の対向基板１０の構成が実施の形態１〜５と異なっていて、それ以外の構成については実施の形態１〜５と同様であるため、説明を省略する。
【００６８】
本実施の形態６では、実施の形態１〜５と異なり、図７に示すように、ヒーター電極１５と対向電極１６との間の絶縁層に設けられた除去部（第１除去部２０ａ、第２除去部２０ｂ）内にヒーター電極用トランスファ部５と対向電極用トランスファ部６とが形成されていない構成としてもよい。
【００６９】
対向電極用トランスファ部６では、図７（ｂ）に示すように、絶縁層の上に対向電極１６が形成されている。そして、対向電極用導電層３６が、この対向電極１６と、ＴＦＴアレイ基板４０側に設けられたコモン電位転送配線４６とに接続するよう形成されている。
【００７０】
一方、ヒーター電極用トランスファ部５の近傍には、図７（ａ）に示すように、ヒーター電極１５の形成領域上の絶縁層が除去されている開口部２０ｃが設けられている。そして、絶縁層上には、開口部２０ｃ内のヒーター電極１５と接続するよう変換導電層１６ａが形成されている。変換導電層１６ａは、対向電極１６と離間して設けられ、対向電極１６と電気的に絶縁されている。変換導電層１６ａは、対向電極１６と同じ導電膜によって形成されていてもよい。変換導電層１６ａは、開口部２０ｃの側面を構成する絶縁層の端部を跨ぐように形成されている。この変換導電層１６ａと、ＴＦＴアレイ基板４０側に設けられたヒーター用電流転送配線４５とに接続するよう、ヒーター電極用導電層３５が形成されている。
【００７１】
ヒーター電極用トランスファ部５では、変換導電層１６ａが、対向電極用トランスファ部６の対向電極１６と同様、絶縁層の上に直接形成されている。そのため、ヒーター電極用トランスファ部５における変換導電層１６ａとヒーター用電流転送配線４５との間の距離は、対向電極用トランスファ部６における対向電極１６とコモン電位転送配線４６との間の距離とほぼ同じになる。従って、実施の形態１〜５と同様、ヒーター電極用トランスファ部５と対向電極用トランスファ部６とにそれぞれ形成されるヒーター電極用導電層３５と対向電極用導電層３６の厚さを略等しくすることができる。すなわち、ヒーター電極用導電層３５と対向電極用導電層３６はともに、絶縁膜上に形成された透明導電膜上に形成されるのでほぼ同じ厚さとなる。それ以外の構成については、実施の形態１〜５と同様であるため説明を省略する。
【００７２】
このように、本実施の形態６では、ヒーター電極１５の形成領域上の絶縁層に開口部２０ｃを形成し、この開口部２０ｃを介してヒーター電極１５と接続する変換導電層１６ａによってヒーター電極１５を絶縁膜上に引き出している。そして、この変換導電層１６ａ上に、ヒーター電極用トランスファ部５を形成する。また、絶縁膜上の対向電極１６上に、対向電極用トランスファ部６を形成する。このような構成によっても、実施の形態１〜５と同様の効果を得ることができる。
【００７３】
なお、図７では、表示領域５１内の対向基板１０の構成が実施の形態３と同様の構成であるとして例示的に図示されている。すなわち、図７では、対向基板１０が、基板１１上に、メタルＢＭ１２、絶縁膜１９、ヒーター電極１５、着色層１３、対向電極１６、及び配向膜がこの順に積層された構成となっている場合について例示的に示している。但し、本実施の形態６の対向基板１０の構成はこれに限定されるものではなく、実施の形態１、２、４、５と同様の構成であってもよい。
【００７４】
実施の形態７．
本実施の形態７に係る液晶表示装置について、図８を用いて説明する。図８は、実施の形態７に係る液晶表示装置に用いられる液晶表示パネルのトランスファ部を含む端部の構成を模式的に示す断面図である。図８（ａ）は、ヒーター電極用トランスファ部５とその近傍の構成を示している。また、図８（ｂ）は、対向電極用トランスファ部６とその近傍の構成を示している。
【００７５】
本実施の形態７では、実施の形態１〜６と異なり、図８に示すように、ヒーター電極用導電層３５と対向電極用導電層３６とに代えて、導電性粒子を含有させたシール材３１ａが形成されている。導電性粒子を含有させたシール材３１ａは、例えば、シール材３１に導電性粒子を混入することにより得ることができる。導電性粒子を含有させたシール材３１ａによって、ＴＦＴアレイ基板４０と対向基板１０とが貼り合わされている。この導電性粒子を含有させたシール材３１ａは、表示領域５１を囲うよう枠状に形成されており、ＴＦＴアレイ基板４０と対向基板１０とシール材３１ａとで形成される空間に、液晶３０が封入されている。
【００７６】
導電性粒子を含有させたシール材３１ａは、ヒーター電極用トランスファ部５において、図８（ａ）示すように、対向基板１０側に設けられたヒーター電極１５と、ＴＦＴアレイ基板４０側に設けられたヒーター用電流転送配線４５とに接続するよう形成されている。すなわち、ヒーター電極１５は、導電性粒子を含有させたシール材３１ａを介してヒーター用電流転送配線４５と電気的に接続されている。従って、導電性粒子を含有させたシール材３１ａは、ヒーター電極用トランスファ部５において、実施の形態１〜６のヒーター電極用導電層３５であるかのように機能する。
【００７７】
また、導電性粒子を含有させたシール材３１ａは、対向電極用トランスファ部６において、図８（ｂ）示すように、対向基板１０側に設けられた対向電極１６と、ＴＦＴアレイ基板４０側に設けられたコモン電位転送配線４６とに接続するよう形成されている。すなわち、対向電極１６は、導電性粒子を含有させたシール材３１ａを介してコモン電位転送配線４６と電気的に接続されている。従って、導電性粒子を含有させたシール材３１ａは、対向電極用トランスファ部６において、実施の形態１〜６の対向電極用導電層３６であるかのように機能する。
【００７８】
導電性粒子を含有させたシール材３１ａは、導電性粒子の分散が疎らなため、基板面と水平な方向（図２中、横方向）の導通は無い。従って、このシール材３１ａを介してヒーター電極用トランスファ部５と対向電極用トランスファ部６とが繋がっていても、これらの間はショートすることがない。
【００７９】
従って、導電性粒子を含有させたシール材３１ａは、ＴＦＴアレイ基板４０と対向基板１０とを接着するシール材の機能に加え、ヒーター電極１５及び対向電極１６のトランスファ機能を兼ね備えている。換言するならば、本実施の形態７のヒーター電極用導電層と対向電極用導電層は、ヒーター電極１５及び対向電極１６のトランスファ機能に加え、ＴＦＴアレイ基板４０と対向基板１０とを接着するシール材の機能を兼ね備えているとも言える。
【００８０】
なお、図８では、対向基板１０の構成が実施の形態１と同様の構成であるとして例示的に図示したが、対向基板１０の構成はこれに限定されるものではなく、実施の形態１〜６と同様の構成であってもよい。
【００８１】
このように、本実施の形態７では、シール材に導電性を持たせた導電性粒子を含有させたシール材３１ａによって、ＴＦＴアレイ基板４０と対向基板１０とを貼り合わせ、かつ、ヒーター電極１５及び対向電極１６をＴＦＴアレイ基板４０側と導通させる。これにより、ヒーター電極用導電層と対向電極用導電層とを別途形成することなく、液晶３０の温度調整ができる。従って、ヒーター電極１５及び対向電極１６のトランスファ機能を専用に備えた導電層の形成を省略することができ、実施の形態１〜６よりもさらに生産性が向上する。また、実施の形態１〜６と同様の効果を奏することができる。
【００８２】
なお、本発明は上記実施の形態に限られたものではなく、趣旨を逸脱しない範囲で適宜変更することが可能である。例えば、実施の形態１、３〜７では、隣接する着色層１３を互いに離間して設け、この着色層１３の上にさらにＯＣ膜１８を形成する場合について例示的に説明を行ったが、これに限るものではない。隣接する着色層１３を離間させずに、一部分が互いにオーバーラップするように重ねて形成すると、ＯＣ膜１８を形成しなくても、ヒーター電極１５と対向電極１６とを絶縁できる。従って、ヒーター電極１５と対向電極１６との間に設けられる絶縁層は、少なくとも着色層１３を含んで形成されていればよい。絶縁層がさらにＯＣ膜１８又は樹脂ＢＭ１２を含む場合は、ヒーター電極１５と対向電極１６との間の絶縁性をさらに向上できる。
【符号の説明】
【００８３】
５  ヒーター電極用トランスファ部、
６  対向電極用トランスファ部、
１０  対向基板、１１  基板、１２  ＢＭ、
１３  着色層、１５  ヒーター電極、
１６  対向電極、１６ａ  変換導電層、
１８  ＯＣ膜、１９  絶縁膜、
２０ａ  第１除去部、２０ｂ  第２除去部、
２０ｃ  開口部、３０  液晶、
３１、３１ａ  シール材、３５  ヒーター電極用導電層、
３６  対向電極用導電層、４０  ＴＦＴアレイ基板、
４５  ヒーター用電流転送配線、
４６  コモン電位転送配線、
５１  表示領域、５２  額縁領域、
１００  液晶表示パネル
【図１】
2010276972.tif 000003
【図２】
2010276972.tif 000004
【図３】
2010276972.tif 000005
【図４】
2010276972.tif 000006
【図５】
2010276972.tif 000007
【図６】
2010276972.tif 000008
【図７】
2010276972.tif 000009
【図８】
2010276972.tif 000010